(57)【要約】【課題】通常遊技状態において、各々の開放ごとにＶ入賞確率を異ならせること。【解決手段】ぱちんこ遊技機１００は、ハネ１３１と、可動体２０３と、可動体制御部４０１と、始動口ＳＷ４１０と、を備える。可動体２０３は、大入賞口内に入賞した遊技球をＶ入賞し易い特別通路に振り分ける特別通路誘導位置、またはＶ入賞し難い通常通路に振り分ける通常通路誘導位置に位置する。可動体制御部４０１は、通常遊技状態においてハネ１３１が複数回の開閉をおこなう際、可動体２０３が特別通路誘導位置または通常通路誘導位置に位置する割合を各々の開放ごとに異ならせる。【選択図】図４
2010069004.tif 000002
【特許請求の範囲】
【請求項１】
遊技球が所定の始動口に入賞することにより、遊技球を大入賞口内に導くために複数回の開閉をおこなう開閉部と、
大入賞口内に設けられ、前記開閉部を介して大入賞口内に導かれた遊技球が入賞することにより大当たりを開始するＶ入賞領域と、
大入賞口内に入賞した遊技球をＶ入賞し易い特別通路に振り分ける特別通路誘導位置、または前記遊技球をＶ入賞し難い通常通路に振り分ける通常通路誘導位置に位置する可動体と、
通常遊技状態において前記開閉部が複数回の開閉をおこなう際、前記可動体が特別通路誘導位置または通常通路誘導位置に位置する割合を各々の開放ごとに異ならせる可動体制御手段と、
を備えることを特徴とするぱちんこ遊技機。
【請求項２】
前記開閉部は、遊技球が所定の始動口に入賞することにより、２回以上の開閉をおこなうものであり、
前記可動体制御手段は、前記可動体に対し、前記開閉部の１回目の開閉時には通常通路誘導位置に位置させる割合を高くする一方、前記開閉部の２回目以降の開閉時には１回目の開放時に比べて通常通路誘導位置に位置させる割合を低くすることを特徴とする請求項１に記載のぱちんこ遊技機。
【請求項３】
前記可動体は、傾動自在の棒状部材からなり、水平位置から傾くことによって特別通路誘導位置または通常通路誘導位置に位置するものであり、
前記可動体制御手段は、前記可動体の傾動状態を制御することにより、前記可動体を通常通路誘導位置または特別通路誘導位置に位置させることを特徴とする請求項２に記載のぱちんこ遊技機。
【請求項４】
前記可動体制御手段は、前記開閉部の１回目の開放時には前記可動体の傾動速度を低速にして通常通路誘導位置に位置させるようにし、前記開閉部の２回目以降の開閉時には前記可動体の傾動速度を高速にして通常通路誘導位置または特別通路誘導位置に位置させるようにすることを特徴とする請求項３に記載のぱちんこ遊技機。
【請求項５】
前記可動体制御手段は、前記開閉部の２回目以降の開閉時に前記可動体を高速に傾動させる際、２回目以降の各開放期間内にて通常通路誘導位置または特別通路誘導位置に位置させる割合を等しくすることを特徴とする請求項４に記載のぱちんこ遊技機。
【請求項６】
前記可動体制御手段は、ステッピングモータを用いて前記可動体を傾動させることを特徴とする請求項１〜５のいずれか一つに記載のぱちんこ遊技機。
【発明の詳細な説明】
【技術分野】
【０００１】
この発明は、所謂ハネモノタイプの機能を備えたぱちんこ遊技機に関する。
【背景技術】
【０００２】
従来から「ヒコーキ」あるいは「ハネモノ」等と称されている旧第二種タイプのぱちんこ遊技機は、一対のハネ（可動片）からなる大入賞口が遊技盤に設けられ、所定の始動口に遊技球が入賞すると、ソレノイドが作動して大入賞口のハネが１回または２回開閉（小当たり）し、遊技盤面を流下する遊技球を捕捉して大入賞口内に導くように構成されている。大入賞口の内部には、Ｖゾーンと称される特定領域が設けられており、大入賞口に入賞した遊技球が、さらにＶゾーンを通過した場合に、大当たりが発生する。
【０００３】
大当たり遊技状態においては、ソレノイドの作動によりハネが所定の期間開放されるか、所定の期間に規定数の遊技球の入賞が検出されるまで継続的に開閉するか、または、所定回数（たとえば１８回）継続的に開閉することで、第１ラウンドとして動作する。また、大当たり時には、ディスプレイからは大当たり遊技状態の演出画面が出力される。そして、当選した大当たりの内容に応じて第２ラウンドが連続的に開始されてハネの継続的な開閉がさらに繰り返される。以下同様に所定ラウンド数（当選した大当たりの内容に応じて、最高１６ラウンド）まで繰り返され、このような大当たりの期間中に多数の遊技球を獲得できるようになっている。
【０００４】
また、このようなぱちんこ遊技機には、通常遊技状態において、遊技球が入賞することによりハネが２回開放する所謂２番チャッカーと呼ばれる始動口が設けられている。このような２番チャッカーを設けたものは、通常の始動口（１番チャッカー）に遊技球が入賞した場合に比べて、ハネが２回開く分、Ｖ入賞への期待度は高まる（たとえば、下記特許文献１参照。）。
【０００５】
【特許文献１】特開２００４−１８１１４３号公報
【発明の開示】
【発明が解決しようとする課題】
【０００６】
しかしながら、上述した従来技術は、２番チャッカーに遊技球が入賞した際に、１回目のハネの開放と２回目のハネの開放とでＶ入賞に対する期待度を異ならせることができず、複数回の開放時における興趣性に欠けるといった問題があった。
【０００７】
この発明は、上述した従来技術による問題点を解消するため、通常遊技状態における複数回のハネの開放時に、各々の開放ごとに期待度を異ならせることができるぱちんこ遊技機を提供することを目的とする。
【課題を解決するための手段】
【０００８】
上述した課題を解決し、目的を達成するため、この発明にかかるぱちんこ遊技機は、遊技球が所定の始動口に入賞することにより、遊技球を大入賞口内に導くために複数回の開閉をおこなう開閉部と、大入賞口内に設けられ、前記開閉部を介して大入賞口内に導かれた遊技球が入賞することにより大当たりを開始するＶ入賞領域と、大入賞口内に入賞した遊技球をＶ入賞し易い特別通路に振り分ける特別通路誘導位置、または前記遊技球をＶ入賞し難い通常通路に振り分ける通常通路誘導位置に位置する可動体と、通常遊技状態において前記開閉部が複数回の開閉をおこなう際、前記可動体が特別通路誘導位置または通常通路誘導位置に位置する割合を各々の開放ごとに異ならせる可動体制御手段と、を備えることを特徴とする。
【０００９】
上記構成のぱちんこ遊技機によれば、各々の開放ごとにＶ入賞確率を異ならせることができる。
【００１０】
また、上記発明において、前記開閉部は、遊技球が所定の始動口に入賞することにより、２回以上の開閉をおこなうものであり、前記可動体制御手段は、前記可動体に対し、前記開閉部の１回目の開閉時には通常通路誘導位置に位置させる割合を高くする一方、前記開閉部の２回目以降の開閉時には１回目の開放時に比べて通常通路誘導位置に位置させる割合を低くすることとしてもよい。
【００１１】
上記構成のぱちんこ遊技機によれば、２回目以降の開放時に１回目の開放に比べて、Ｖ入賞確率を上げることができる。
【００１２】
また、上記発明において、前記可動体は、傾動自在の棒状部材からなり、水平位置から傾くことによって特別通路誘導位置または通常通路誘導位置に位置するものであり、前記可動体制御手段は、前記可動体の傾動状態を制御することにより、前記可動体を通常通路誘導位置または特別通路誘導位置に位置させることとしてもよい。
【００１３】
上記構成のぱちんこ遊技機によれば、シンプルな構成で、各々の開放ごとにＶ入賞確率を異ならせることができる。
【００１４】
また、上記発明において、前記可動体制御手段は、前記開閉部の１回目の開放時には前記可動体の傾動速度を低速にして通常通路誘導位置に位置させるようにし、前記開閉部の２回目以降の開閉時には前記可動体の傾動速度を高速にして通常通路誘導位置または特別通路誘導位置に位置させるようにすることとしてもよい。
【００１５】
上記構成のぱちんこ遊技機によれば、極めて短時間の各々の開放ごとにＶ入賞確率を異ならせることができる。
【００１６】
また、上記発明において、前記可動体制御手段は、前記開閉部の２回目以降の開閉時に前記可動体を高速に傾動させる際、２回目以降の各開放期間内にて通常通路誘導位置または特別通路誘導位置に位置させる割合を等しくすることとしてもよい。
【００１７】
上記構成のぱちんこ遊技機によれば、遊技球を等しい割合で通常通路または特別通路に誘導することができる。
【００１８】
また、上記発明において、前記可動体制御手段は、ステッピングモータを用いて前記可動体を傾動させることとしてもよい。
【００１９】
上記構成のぱちんこ遊技機によれば、可動体を滑らか且つ高速に動かすことができ、多様な動作を実現することができる。
【発明の効果】
【００２０】
本発明によれば、複数回の開閉部の開閉において、各々の開放ごとにＶ入賞確率を異ならせることができるので、各々の開放ごとに期待度を異ならせることができる。したがって、興趣性の高いぱちんこ遊技機を提供することができるという効果を奏する。
【発明を実施するための最良の形態】
【００２１】
（実施の形態）
以下に添付図面を参照して、この発明にかかる、ぱちんこ遊技機の好適な実施の形態を詳細に説明する。
【００２２】
（ぱちんこ遊技機の概要）
図１は、本発明のぱちんこ遊技機の全体正面図である。図１に示すぱちんこ遊技機１００は、矩形形状の枠１０１を有し、この枠１０１の窓孔に対して遊技盤１０２が着脱可能に取り付けられている。遊技盤１０２の前面側には、図示しないガラス枠が開閉可能に取り付けられている。また遊技盤１０２の下部には遊技球を貯留する受け皿部１０３と、この受け皿部１０３の遊技球を発射する発射レバー１０４等が設けられている。受け皿部１０３の上面には、たとえば遊技者自身に操作をおこなわせて遊技に参加させるための演出ボタン１０５が設けられている。また、図示しないが受け皿部１０３の上面には遊技球の購入ボタン、購入取り消しボタン、受け皿部１０３内の遊技球を下方から外部に抜くための球抜きボタン等が設けられている。
【００２３】
次に、このぱちんこ遊技機１００の遊技の流れについて、主要部の概要とともに説明する。なお、主要部の詳細な構成については、図２を用いて後述する。ぱちんこ遊技機１００は、第１始動口１１０と、第２始動口１１１と、特図表示器１２０と、上大入賞口１３０と、ハネ１３１と、Ｖ入賞領域（Ｖゾーン）１３２と、下大入賞口１４０と、画像表示部１５０と、を備えている。なお、上大入賞口１３０は、本発明の大入賞口に相当する。ハネ１３１は、本発明の開閉部に相当する。
【００２４】
通常遊技状態において、遊技者は、第１始動口１１０または第２始動口１１１を狙う。遊技球が第１始動口１１０に入賞すると、特図表示器１２０が変動するとともに、上大入賞口１３０のハネ１３１を０．４秒間１回開放する。以下の説明において、この開放を第１の開放という。また、遊技球が第２始動口１１１に入賞すると、特図表示器１２０が変動するとともに、上大入賞口１３０のハネ１３１を０．４秒間２回開放する。以下の説明において、この開放を第２の開放という。また、第１の開放および第２の開放を含めて、ここでは小当たりという。
【００２５】
特図表示器１２０には、大当たり時の継続ラウンド回数を示す図柄が表示される。継続ラウンド数は、図柄により、たとえば、２ラウンド、８ラウンド、１６ラウンドとなっている。この図柄の表示タイミングは、ハネ１３１の開放前としてもよいし、ハネ１３１の開放と同時としてもよいし、遊技球がＶゾーン１３２に入賞したときとしてもよい。なお、ハネ１３１の開放時間や、大当たりの継続ラウンド数などについては、一例を挙げているに過ぎず、他の時間または他のラウンド数とすることも可能である。
【００２６】
また、第１の開放および第２の開放におけるハネ１３１の開放回数は、それぞれ、１回または２回としているが、これに限られるものではなく、たとえば、第１の開放を２回、第２の開放を３回などとすることも可能である。
【００２７】
遊技球が上大入賞口１３０に入賞し、Ｖゾーン１３２を通過すると、下大入賞口１４０を、表示された図柄が示す継続ラウンド数開放する大当たりとなる。画像表示部１５０は、大当たり時の演出画面や、ハネ１３１の開放時における演出画面などを表示する。
【００２８】
（ぱちんこ遊技機の詳細な構成）
図２は、遊技盤１０２の一例を示した正面図である。この図に示す遊技盤１０２の略中央には、本発明の大入賞口に相当する上大入賞口１３０が設けられている。上大入賞口１３０の上部両側には、開閉自在な一対のハネ１３１（１３１Ｌ，１３１Ｒ）が設けられている。なお、本実施の形態では、開閉部としてのハネ１３１の形状は、羽根形状としているが、これはあくまでも一例であり、羽根形状に限らない。
【００２９】
上大入賞口１３０の内部には、Ｖゾーン１３２と、可動体２０３とが設けられている。可動体２０３は、ハネ１３１を介して入賞した遊技球がＶゾーン１３２に到達し易い特別通路２０１（図中左側）、または遊技球がＶゾーン１３２まで到達し難い通常通路２０２（図中右側）に遊技球を振り分けるように動作する。
【００３０】
可動体２０３は、上大入賞口１３０内の上部位置に設けられ、傾動自在の棒状部材からなる。また、可動体２０３は、水平位置から傾くことによって遊技球を特別通路２０１に誘導する特別通路誘導位置、または遊技球を通常通路２０２に誘導する通常通路誘導位置に位置するものである。なお、可動体２０３の形状は、棒状部材に限らず、遊技球を特別通路２０１または通常通路２０２へ振り分けることができるものであれば、他の形状であってもよい。
【００３１】
Ｖゾーン１３２内には、後述するＶ入賞領域スイッチが設けられている。特別通路２０１を通過した遊技球は第１の回転体２０４に誘導される。一方、通常通路２０２を通過した遊技球は第２の回転体２０５に誘導される。
【００３２】
第１の回転体２０４には、遊技球を収容する回転収容部２０４ａがたとえば３つ設けられている。３つの回転収容部２０４ａのうち１つは、遊技球をＶゾーン１３２へ誘導する特定の収容領域となっている。それ以外の回転収容部２０４ａに遊技球が収容された場合、遊技球はＶゾーン１３２以外の領域（非特定領域）へ誘導される。
【００３３】
一方、第２の回転体２０５には、遊技球を収容する回転収容部２０５ａがたとえば５つ設けられている。５つの回転収容部２０５ａのうち１つは、遊技球をＶゾーン１３２へ誘導する特定の収容領域となっている。それ以外の回転収容部２０５ａに遊技球が収容された場合、遊技球は非特定領域へ誘導される。よって、上大入賞口１３０に入賞後の遊技球がＶゾーン１３２に入賞する入賞率は、第１の回転体２０４が設けられている特別通路２０１に誘導されたほうが、第２の回転体２０５が設けられている通常通路２０２に誘導された場合より高くなっている。
【００３４】
また、上大入賞口１３０内の前面下方には、特別図柄の変動と表示をおこなう特図表示器１２０が設けられている。特図表示器１２０は、たとえば７セグメント表示器により構成されており、表示される数字や当該数字の色により、それぞれ大当たり時の時短の有無や、継続ラウンド回数などが表されるようになっている。たとえば、特図表示器１２０に、偶数が表示されると「大当たり２ラウンド継続」を表し、奇数が表示されると「大当たり７ラウンド継続」を表し、奇数のうち「７」が表示されると「大当たり１６ラウンド継続」を表すようになっている。
【００３５】
なお、大当たり開始時には継続ラウンド数を表示させないようにし、大当たり中の演出によって、たとえば２ラウンド目の演出によって、継続ラウンド数を表示してもよい。また、抽選により奇数が当選している場合であっても、特図表示器１２０には、偶数を表示させておき、大当たり中の演出として、当選している「８ラウンド継続」または「１６ラウンド継続」に移行させるラウンド昇格をおこなってもよい。このようなラウンド昇格をおこなうことにより、大当たり中に遊技者に期待感を与えることが可能になる。
【００３６】
上大入賞口１３０の下方領域には、下大入賞口１４０が設けられている。下大入賞口１４０は、大当たり遊技状態のときに開放状態になる開閉扉２１０を有しており、その内部には下大入賞口スイッチ（ＳＷ）１４０ａが設けられている。遊技盤１０２の最下部には遊技球を排出するアウト口２１１が設けられている。
【００３７】
（遊技制御部の構成）
図３は、ぱちんこ遊技機１００全体の遊技制御をおこなう遊技制御部の構成を示したブロック図である。図３に示す遊技制御部３００には、遊技の進行を制御する主制御部３１０が設けられている、また副（サブ）制御基板として、遊技演出を制御する演出制御部３２０、ランプ制御部３４０、賞球の払い出しを制御する賞球制御部３５０等が設けられている。なお、主制御部３１０は、本発明の可動体制御手段に相当する。
【００３８】
主制御部３１０は、ＣＰＵ３１１、ＲＯＭ３１２、ＲＡＭ３１３、および図示しない入出力インターフェース（Ｉ／Ｏ）を有し、ぱちんこ遊技機の主たる制御をおこなう。ＣＰＵ３１１には、上大入賞口１３０内の可動体２０３、第１始動口１１０に設けられた第１始動口ＳＷ１１０ａ、第２始動口１１１に設けられた第２始動口ＳＷ１１１ａ、上大入賞口１３０に入賞した遊技球を検出する上大入賞口ＳＷ１３０ａ、下大入賞口１４０に入賞した遊技球を検出する下大入賞口ＳＷ１４０ａが接続されている。
【００３９】
また、ＣＰＵ３１１には、上大入賞口１３０のハネ１３１Ｌ，１３１Ｒを開閉動作させるための上大入賞口ソレノイド１３０ｂ、下大入賞口１４０の開閉扉２１０を開閉動作させるための下大入賞口ソレノイド１４０ｂ、Ｖゾーン１３２に設けられたＶ入賞領域ＳＷ１３２ｂ、特図表示器１２０等が接続されている。さらに、ＣＰＵ３１１は、演出制御部３２０の演出統括部３２１に設けられているＣＰＵ３２２、賞球制御部３５０のＣＰＵ３５１、および盤用外部情報端子基板３６０等と接続されている。
【００４０】
演出制御部３２０は、演出統括部３２１と、画像・音声制御部３３１とから構成される。演出統括部３２１は、ＣＰＵ３２２、ＲＯＭ３２３、ＲＡＭ３２４、図示しないＩ／Ｏを有し、遊技演出全体の制御をおこなう。また、ＣＰＵ３２２は、画像・音声制御部３３１のＣＰＵ３３２と接続され、また、ランプ制御部３４０のＣＰＵ３４１と接続されている。さらに、ＣＰＵ３２２には、演出ボタン１０５が接続されている。
【００４１】
画像・音声制御部３３１は、ＣＰＵ３３２、ＲＯＭ３３３、ＲＡＭ３３４、図示しないＩ／Ｏを有し、演出統括部３２１の指示に基づいて画像および音声の制御をおこなう。このＣＰＵ３３２にはスピーカ３０１および演出用の画像表示部１５０が接続されている。
【００４２】
ランプ制御部３４０は、ＣＰＵ３４１、ＲＯＭ３４２、ＲＡＭ３４３、図示しないＩ／Ｏを有し、ＣＰＵ３４１に接続されている各種ランプ、たとえば盤ランプ３０２や枠ランプ３０３、可動役物３０４等の制御をおこなう。
【００４３】
賞球制御部３５０は、ＣＰＵ３５１、ＲＯＭ３５２、ＲＡＭ３５３、図示しないＩ／Ｏを有し、遊技球を払い出す払出装置３５７の払出駆動モータ等の駆動制御をおこなう。また、ＣＰＵ３５１には、定位置検出ＳＷ３５８ａや、払出球検出ＳＷ３５８ｂ、球有り検出ＳＷ３５８ｃ、満タン検出ＳＷ３５８ｄ、枠用外部情報端子基板３７０等が接続されている。また、図１に記載の発射レバー１０４の操作により遊技球を発射する発射部３５８ｅが設けられている。
【００４４】
（ぱちんこ遊技機の機能的構成）
図４は、本発明にかかるぱちんこ遊技機１００の機能的構成を示したブロック図である。図４において、ぱちんこ遊技機１００は、制御部４００と、始動口ＳＷ４１０と、ハネ１３１と、可動体２０３とを備えている。
【００４５】
始動口ＳＷ４１０は、本実施の形態において、第１始動口ＳＷ１１０ａおよび第２始動口ＳＷ１１１ａに相当する。なお、本実施の形態においては、遊技機の形式により、第１始動口１１０および第２始動口１１１を備えているが、少なくとも始動入賞により複数回のハネ１３１の開放をおこなうためのものを備えていればよい。
【００４６】
制御部４００は、図３に示した主制御部３１０に相当し、可動体制御部４０１と、開閉制御部４０２とを備えている。可動体制御部４０１は、始動口ＳＷ４１０が遊技球を検知し、開閉制御部４０２の制御によりハネ１３１が複数回の開閉をおこなう際、可動体２０３を特別通路誘導位置または通常通路誘導位置に位置する割合を各々の開放ごとに異ならせる。
【００４７】
特に、本実施の形態においては、ハネ１３１の開閉回数は、第２始動口１１１に遊技球が入賞することによる２回である。なお、ハネ１３１の開閉回数は、２回に限られるものではなく、３回以上とすることも可能である。但し、この場合には、可動体２０３が特別通路誘導位置または通常通路誘導位置に位置する割合を各々の開放ごとに異ならせればよい。
【００４８】
可動体制御部４０１によって可動体２０３を特別通路誘導位置または通常通路誘導位置に位置させる割合は、任意であるが、本実施の形態においては、１回目のハネ１３１の開閉時には通常通路誘導位置に位置させる割合を高くする一方、２回目のハネ１３１の開閉時には１回目の開放時に比べて通常通路誘導位置に位置させる割合を低くしている。なお、この詳細については図５〜１０を用いて後述する。
【００４９】
また、本実施の形態において、可動体制御部４０１は、棒状部材からなる可動体２０３の傾動状態を制御することにより、可動体２０３を通常通路誘導位置または特別通路誘導位置に位置させるようにしている。なお、可動体２０３の制御方式は、可動体２０３の形状が棒状部材であるため、当該棒状部材の傾動状態の制御としているが、これに限定されるものではなく、可動体２０３の形状に応じた制御とすればよい。
【００５０】
また、本実施の形態において、可動体制御部４０１は、１回目のハネ１３１の開放時には可動体２０３の傾動速度を低速にして通常通路誘導位置に位置させるようにし、２回目のハネ１３１の開閉時には可動体２０３の傾動速度を高速にして通常通路誘導位置または特別通路誘導位置に位置させるようにしている。特に、可動体制御部４０１は、ステッピングモータを用いて可動体２０３を傾動自在に速度制御している。
【００５１】
さらに、本実施の形態において、可動体制御部４０１は、ハネ１３１の２回目以降の開閉時に可動体２０３を高速に傾動させる際、２回目以降の各開放期間内にて通常通路誘導位置または特別通路誘導位置に位置させる割合を等しくしている。なお、この割合については、必ずしも等しくする必要はなく、たとえば、特別通路誘導位置に位置させる時間の比率を７とし、通常通路誘導位置に位置させる比率を３などとし、予め定めた比率とすることも可能である。
【００５２】
（ハネおよび可動体の動作タイミング）
次に、図５〜１０を用いて、ハネ１３１および可動体２０３の動作タイミングについて説明する。なお、第２の開放から説明する。図５は、第２の開放時におけるハネ１３１および可動体２０３の動作タイミング図である。図６は、第１の開放時におけるハネ１３１および可動体２０３の動作タイミング図である。また、図７〜１０は、可動体２０３の動作を示す説明図である。なお、図５および図６において、ハネ１３１の開閉は、上大入賞口１３０の開放または閉鎖として示している。
【００５３】
図５において、通常遊技時にて、第２始動口１１１の第２始動口ＳＷ１１１ａが遊技球の入賞を検知すると、第２始動口ＳＷ１１１ａから出力される出力パルス５１０がオンになる。そして、所定のインターバル時間が経過した後に、０．４秒間ハネ１３１を開放させる前半開放５０１をおこなう。さらに、符号５０２に示す２．０秒の休止期間経過後、０．４秒間ハネ１３１を開放させる後半開放５０３をおこなう。前半開放５０１と、休止期間５０２と、後半開放５０３とを合わせたものが第２の開放５００である。
【００５４】
可動体２０３は、初期位置として、上大入賞口１３０のハネ１３１が閉鎖状態のときは、図７に示すように、水平の中立位置に位置し、上大入賞口１３０のハネ１３１が閉鎖状態から開放状態になった時点で可動を開始する。最初に可動体２０３が可動する方向は、ハネ１３１を介して入賞した遊技球を通常通路２０２へ誘導する方向である。すなわち、可動体２０３は、図８に示すように、右方向（時計回り方向）に低速で回転し、通常通路誘導位置に位置する。右方向に回転した可動体２０３は、たとえば０．４秒かけて４時の位置まで回転して停止する。なお、通常通路誘導位置は、中立位置（３時の位置）を越えて４時の位置までの間をいう。
【００５５】
さらに、可動体２０３は、４時の位置にて可動体２０３の回転が停止した後、図９に示すように、左方向（反時計周り方向）に低速で回転し、中立位置に位置する。なお、このときにはハネ１３１は、前半開放５０１が完了し、閉鎖状態にある。さらに、図１０に示すように、可動体２０３は、左方向に低速で回転し、遊技球を特別通路２０１へ誘導する特別通路誘導位置に位置し、たとえば８時の位置まで回転して停止する。なお、特別通路誘導位置は、中立位置（９時の位置）を越えて８時の位置までの間をいう。そして、可動体２０３は、８時の位置にて可動体２０３の回転が停止した後、右方向に回転し、再び、中立位置を経由して、図８に示す４時の位置の通常通路誘導位置に位置する。可動体２０３が低速動作を開始してからここまでの間（低速動作期間）は、２．０秒である。
【００５６】
そして、４時の位置の通常通路誘導位置に戻った可動体２０３は、０．２秒おきに特別通路誘導位置と通常通路誘導位置を行き来する高速動作をおこなう。この高速動作は、１．２秒間おこなわれる。なお、可動体２０３の高速動作が開始して０．４秒後に、ハネ１３１は０．４秒間の後半開放５０３を開始する。ハネ１３１の後半開放５０３の期間中、可動体２０３が特別通路誘導位置に位置する時間と通常通路誘導位置に位置する時間とは、等しくなっている。また、ハネ１３１の後半開放５０３の終了後、０．４秒後に、可動体２０３は中立位置に戻る。
【００５７】
一方、図６に示すように、第１始動口１１０の第１始動口ＳＷ１１０ａが遊技球の入賞を検知すると、第１始動口ＳＷ１１０ａから出力される出力パルス６０１がオンになる。そして、所定のインターバル時間が経過した後に、０．４秒間ハネ１３１を１回だけ開放させる第１の開放６００をおこなう。なお、可動体２０３の動作は、第２の開放５００の際と同様であるため、説明を省略する。
【００５８】
このような構成により、第２の開放５００の前半開放５０１や、第１の開放６００では、ハネ１３１が開放される０．４秒間は、可動体２０３が中立位置より通常通路２０２側に傾倒する通常通路誘導位置に位置している。このため、第２の開放５００の前半開放５０１および第１の開放６００では、遊技球は通常通路２０２へ誘導されるようになっている。
【００５９】
一方、第２の開放５００の後半開放５０３では、ハネ１３１が開放されている０．４秒間は、可動体２０３が通常通路誘導位置または特別通路誘導位置を行き来している。この可動体２０３の動作により、第２の開放５００の後半開放５０３では、特別通路２０１または通常通路２０２に、半々の確率で遊技球を振り分けることが可能になっている。
【００６０】
また、本実施の形態において、説明の便宜上、可動体２０３を特別通路誘導位置に位置させる時間と通常通路誘導位置に位置させる時間とを、後半開放５０３の期間内においてそれぞれ等しくしているが、実際の遊技においては、遊技球がハネ１３１を介して上大入賞口１３０内に誘導されるまでの時間を考慮し、遊技球が上大入賞口１３０内に入ってから排出されるまでの期間内において等しくさせればよい。すなわち、たとえば、遊技球が上大入賞口１３０内に入るまでにはハネ１３１の開放開始から０．１秒かかり、排出までにはハネ１３１の開放開始から０．５秒かかると仮定した場合、ハネ１３１の開放期間内において可動体２０３の動作を０．１秒後ろにシフトさせればよい。
【００６１】
より詳細には、ハネ１３１の開放開始から０．１秒経過後に可動体２０３を通常通路誘導位置である４時の位置に位置させ、ハネ１３１の開放開始から０．３秒経過後に可動体２０３を８時の位置に位置させ、ハネ１３１の開放開始から０．５秒経過後に、可動体２０３を通常通路誘導位置である４時の位置に位置させればよい。
【００６２】
また、本実施の形態においては、低速動作および高速動作の動作速度は、上述したものに限られるものではなく、他の速度とすることも可能である。但し、このような場合であっても、第２の開放５００の後半開放５０３においては、可動体２０３を特別通路誘導位置または通常通路誘導位置に位置させる割合を、後半開放５０３の期間内において予め定めた比率とすればよい。
【００６３】
また、第１始動口１１０または第２始動口１１１に遊技球が入賞した際に、ハネ１３１を３回以上開閉させる場合、可動体２０３を特別通路誘導位置に位置させる割合を上げるタイミングは、２回目以降の開放時としてもよいし、３回目以降の開放時としてもよい。また、この場合、たとえば、２回目に可動体２０３が特別通路誘導位置に位置する割合と、３回目以降に可動体２０３が特別通路誘導位置に位置する割合とをさらに異ならせてもよい。
【００６４】
また、本実施の形態においては、可動体２０３は、最初に通常通路誘導位置に位置する動作となっているが、これに限られるものではなく、最初に特別通路誘導位置に位置する動作としてもよい。但し、この場合においても、前半開放５０１と後半開放５０３とで、可動体２０３の配置位置の割合を異ならせればよい。
【００６５】
（遊技制御部の主制御部が実行する処理）
次に、遊技制御部３００の主制御部３１０が実行する処理を示したフローチャートについて説明する。なお、以下に説明する処理は、メインＣＰＵ３１１がＲＯＭ３１２に格納されているプログラムを実行することにより実現することができる。
【００６６】
（タイマ割込処理）
図１１は、メインＣＰＵ３１１が実行するタイマ割込処理を示したフローチャートである。メインＣＰＵ３１１は、タイマ割込処理として、乱数更新処理（ステップＳ１１０１）、スイッチ処理（ステップＳ１１０２）、大入賞口処理（ステップＳ１１０３）、可動体処理（ステップＳ１１０４）、図柄処理（ステップＳ１１０５）、賞球処理（ステップＳ１１０６）、出力処理（ステップＳ１１０７）を実行してメイン処理に戻る。
【００６７】
以下、メインＣＰＵ３１１がタイマ割込処理の際に実行する各種処理について説明する。なお、ここでは、大入賞口処理、および可動体処理について説明する。
【００６８】
（上大入賞口の第１の開放処理）
図１２は、メインＣＰＵ３１１が通常遊技状態において実行する上大入賞口１３０の第１の開放処理を示したフローチャートである。なお、このフローチャートは、第１始動口１１０への遊技球の入賞によっておこなう小当たりの処理を示したものである。
【００６９】
図１２において、メインＣＰＵ３１１は、まず、小当たり中であるか否かの判定をおこない（ステップＳ１２０１）、小当たり中であると判定した場合は（ステップＳ１２０１：Ｙｅｓ）、インターバル中であるか否かの判定をおこない（ステップＳ１２０２）、インターバル中であると判定した場合は（ステップＳ１２０２：Ｙｅｓ）、インターバル時間経過したか否かの判定をおこなう（ステップＳ１２０３）。インターバル時間経過していると判定した場合は（ステップＳ１２０３：Ｙｅｓ）、上大入賞口１３０のハネ１３１を開放する（ステップＳ１２０４）。
【００７０】
次に、メインＣＰＵ３１１は、上大入賞口１３０のハネ１３１の開放時間が所定の開放時間（０．４秒）経過したか否かの判定をおこない（ステップＳ１２０５）、所定の開放時間経過したと判定した場合は（ステップＳ１２０５：Ｙｅｓ）、上大入賞口１３０のハネ１３１を閉口して（ステップＳ１２０６）、小当たりを終了する（ステップＳ１２０７）。
【００７１】
このあと、メイン処理に戻る。なお、ステップＳ１２０１において、小当たり中でないと判定した場合（ステップＳ１２０１：Ｎｏ）、メイン処理に戻る。また、ステップＳ１２０２において、インターバル中でないと判定した場合は（ステップＳ１２０２：Ｎｏ）、ステップＳ１２０５に移行する。さらに、ステップＳ１２０３において、インターバル時間経過していないと判定した場合（ステップＳ１２０３：Ｎｏ）、メイン処理に戻る。また、ステップＳ１２０５において、所定の開放時間経過していないと判定した場合（ステップＳ１２０５：Ｎｏ）、メイン処理に戻る。
【００７２】
（上大入賞口の第２の開放処理）
図１３は、メインＣＰＵ３１１が通常遊技時に実行する上大入賞口１３０の第２の開放処理を示したフローチャートである。なお、このフローチャートは、第２始動口１１１への遊技球の入賞によっておこなう小当たりの処理を示したものである。
【００７３】
メインＣＰＵ３１１は、まず、小当たり中であるか否かの判定をおこない（ステップＳ１３０１）、小当たり中であると判定した場合は（ステップＳ１３０１：Ｙｅｓ）、インターバル中であるか否かの判定をおこない（ステップＳ１３０２）、インターバル中であると判定した場合は（ステップＳ１３０２：Ｙｅｓ）、インターバル時間経過したか否かの判定をおこなう（ステップＳ１３０３）。インターバル時間経過していると判定した場合は（ステップＳ１３０３：Ｙｅｓ）、上大入賞口１３０のハネ１３１を開放する（ステップＳ１３０４）。
【００７４】
次に、メインＣＰＵ３１１は、上大入賞口１３０のハネ１３１の開放時間が前半開放の開放時間である前半開放時間（０．４秒）経過したか否かの判定をおこない（ステップＳ１３０５）、前半開放時間経過したと判定した場合は（ステップＳ１３０５：Ｙｅｓ）、上大入賞口１３０のハネ１３１を閉口する（ステップＳ１３０６）。このあと、休止期間（２．０秒）経過したか否かを判定する（ステップＳ１３０７）。休止期間経過したと判定した場合（ステップＳ１３０７：Ｙｅｓ）、上大入賞口１３０のハネ１３１を開放する（ステップＳ１３０８）。
【００７５】
そして、後半開放の開放時間である後半開放時間（０．４秒）経過したか否かを判定する（ステップＳ１３０９）。後半開放時間経過したと判定した場合（ステップＳ１３０９：Ｙｅｓ）、上大入賞口１３０のハネ１３１を閉口する（ステップＳ１３１０）。このあと、小当たりを終了し（ステップＳ１３１１）、メイン処理に戻る。
【００７６】
一方、ステップＳ１３０２において、インターバル中でないと判定した場合は（ステップＳ１３０２：Ｎｏ）、前半開放中か否かを判定する（ステップＳ１３１２）。前半開放中であると判定した場合（ステップＳ１３１２：Ｙｅｓ）、ステップＳ１３０５に移行する。一方、前半開放中ではないと判定した場合（ステップＳ１３１２：Ｎｏ）、休止期間中であるか否かを判定する（ステップＳ１３１３）。休止期間中であると判定した場合（ステップＳ１３１３：Ｙｅｓ）、ステップＳ１３０７に移行する。一方、休止期間中ではないと判定した場合（ステップＳ１３１３：Ｎｏ）、すなわち、後半開放中である場合、ステップＳ１３０９に移行する。
【００７７】
また、ステップＳ１３０１において、小当たり中でないと判定した場合（ステップＳ１３０１：Ｎｏ）、メイン処理に戻る。また、ステップＳ１３０３において、インターバル時間経過していないと判定した場合（ステップＳ１３０３：Ｎｏ）、メイン処理に戻る。さらに、ステップＳ１３０５において、前半開放時間経過していないと判定した場合（ステップＳ１３０５：Ｎｏ）、メイン処理に戻る。また、ステップＳ１３０７において、休止期間経過していないと判定した場合（ステップＳ１３０７：Ｎｏ）、メイン処理に戻る。さらに、ステップＳ１３０９において、後半開放時間経過していないと判定した場合（ステップＳ１３０９：Ｎｏ）、メイン処理に戻る。
【００７８】
（可動体処理）
図１４は、メインＣＰＵ３１１が実行する上大入賞口１３０内の可動体処理を示したフローチャートである。図１４において、メインＣＰＵ３１１は、小当たり中であるか否かの判定をおこない（ステップＳ１４０１）、小当たり中であると判定した場合は（ステップＳ１４０１：Ｙｅｓ）、インターバル中であるか否かの判定をおこなう（ステップＳ１４０２）。インターバル中であると判定した場合は（ステップＳ１４０２：Ｙｅｓ）、インターバル時間経過したか否かの判定をおこなう（ステップＳ１４０３）。
【００７９】
インターバル時間経過していると判定した場合は（ステップＳ１４０３：Ｙｅｓ）、可動体２０３の低速動作を開始する（ステップＳ１４０４）。なお、可動体２０３の低速動作については、図５〜１０に示したとおりであり、すなわち、ハネ１３１が開放されてから２．０秒の間におこなわれる動作である。次に、低速動作時間経過したか否かの判定をおこない（ステップＳ１４０５）、低速動作時間経過したと判定した場合は（ステップＳ１４０５：Ｙｅｓ）、高速動作を開始する（ステップＳ１４０６）。なお、可動体２０３の高速動作については、図５〜１０に示したとおりであり、すなわち、ハネ１３１が開放されてから２．０秒経過後におこなわれる動作である。
【００８０】
次に、高速動作時間（１．２秒）経過したか否かの判定をおこない（ステップＳ１４０７）、高速動作時間経過したと判定した場合は（ステップＳ１４０７：Ｙｅｓ）、可動体２０３の動作を停止して（ステップＳ１４０８）、メイン処理に戻る。なお、ステップＳ１４０１において、小当たり中ではないと判定した場合（ステップＳ１４０１：Ｎｏ）、メイン処理に戻る。さらに、ステップＳ１４０３において、インターバル時間経過していないと判定した場合（ステップＳ１４０３：Ｎｏ）、メイン処理に戻る。
【００８１】
また、ステップＳ１４０２において、インターバル中でないと判定した場合は（ステップＳ１４０２：Ｎｏ）、低速動作中か否かを判定する（ステップＳ１４０９）。低速動作中であると判定した場合（ステップＳ１４０９：Ｙｅｓ）、ステップＳ１４０５に移行する。低速動作中ではないと判定した場合（ステップＳ１４０９：Ｎｏ）、ステップＳ１４０７に移行する。
【００８２】
また、ステップＳ１４０５において、低速動作時間経過していないと判定した場合（ステップＳ１４０５：Ｎｏ）、メイン処理に戻る。ステップＳ１４０７において、高速動作時間経過していないと判定した場合（ステップＳ１４０７：Ｎｏ）、メイン処理に戻る。
【００８３】
以上説明した実施の形態のぱちんこ遊技機１００によれば、１回目のハネ１３１の開放と、２回目のハネ１３１の開放とで、可動体２０３が特別通路誘導位置または通常通路誘導位置に位置する割合を異ならせるようにしたので、各々の開放ごとにＶ入賞確率を異ならせることができる。したがって、遊技者に対し、興趣性の高いぱちんこ遊技機を提供することができる。
【００８４】
また、可動体２０３に対し、１回目のハネ１３１の開閉時には通常通路誘導位置に位置させる割合を高くする一方、２回目のハネ１３１の開閉時には１回目の開放時に比べて通常通路誘導位置に位置させる割合を低くするようにしたので、２回目以降の開放時に１回目の開放に比べて、Ｖ入賞確率を上げることができる。したがって、第２始動口１１１への入賞に対する期待度を高めることができ、よって、興趣性を高めることができる。
【００８５】
また、傾動自在の棒状部材からなる可動体２０３の傾動状態を制御することにより、可動体２０３を通常通路誘導位置または特別通路誘導位置に位置させるようにしたので、シンプルな構成で、各々の開放ごとにＶ入賞確率を異ならせることができる。また、可動体２０３の傾動状態により遊技球の振り分けが決まるので、遊技者にとって視認し易く、振り分け時に期待感を与えることができる。
【００８６】
また、１回目のハネ１３１の開放時には可動体２０３の傾動速度を低速にして通常通路誘導位置に位置させるようにし、２回目のハネ１３１の開閉時には可動体２０３の傾動速度を高速にして通常通路誘導位置または特別通路誘導位置に位置させるようにしたので、短時間の各々の開放ごとにＶ入賞確率を異ならせることができる。
【００８７】
また、２回目のハネ１３１の開閉時に可動体２０３を高速に傾動させる際、２回目以降の各開放期間内にて通常通路誘導位置または特別通路誘導位置に位置させる割合を等しくするようにしたので、遊技球を等しい割合で通常通路または特別通路に誘導することができる。したがって、遊技球がどちらの通路に導かれるか、その都度わからないため、開放ごとに遊技者に期待感を与えることができる。
【００８８】
また、ステッピングモータを用いて可動体２０３を傾動させるようにしたので、可動体２０３を滑らか且つ高速に動かすことができ、多様な動作を実現させることができる。
【００８９】
なお、本実施の形態においては、上述した旧二種タイプに相当するぱちんこ遊技機１００を例に挙げて説明したが、これに限られることなく、旧第二種タイプに相当するハネモノの機能を有していれば、たとえば、デジパチタイプ（旧一種タイプ）と旧二種タイプを混合したぱちんこ遊技機に対しても、本発明を適用することができる。
【００９０】
以上説明したように、本発明にかかる、ぱちんこ遊技機によれば、各々の開放ごとにＶ入賞確率を異ならせることができ、よって、遊技者に対し、興趣性の高いぱちんこ遊技機を提供することができる。
【産業上の利用可能性】
【００９１】
以上のように、本発明にかかる、ぱちんこ遊技機は、所謂ハネモノの機能を有するぱちんこ遊技機に適している。
【図面の簡単な説明】
【００９２】
【図１】本発明のぱちんこ遊技機の全体正面図である。
【図２】遊技盤の一例を示した正面図である。
【図３】ぱちんこ遊技機全体の遊技制御をおこなう遊技制御部の構成を示したブロック図である。
【図４】ぱちんこ遊技機の機能的構成を示したブロック図である。
【図５】第２の開放時におけるハネおよび可動体の動作タイミング図である。
【図６】第１の開放時におけるハネおよび可動体の動作タイミング図である。
【図７】可動体の動作を示す説明図である。
【図８】可動体の動作を示す説明図である。
【図９】可動体の動作を示す説明図である。
【図１０】可動体の動作を示す説明図である。
【図１１】メインＣＰＵが実行するタイマ割込処理を示したフローチャートである。
【図１２】メインＣＰＵが通常遊技状態において実行する上大入賞口の第１の開放処理を示したフローチャートである。
【図１３】メインＣＰＵが通常遊技時に実行する上大入賞口の第２の開放処理を示したフローチャートである。
【図１４】メインＣＰＵが実行する上大入賞口内の可動体処理を示したフローチャートである。
【符号の説明】
【００９３】
１００  ぱちんこ遊技機
１０２  遊技盤
１１０  第１始動口
１１１  第２始動口
１３０  上大入賞口（大入賞口）
１３１  ハネ（開閉部）
１３２  Ｖゾーン（Ｖ入賞領域）
２０１  特別通路
２０２  通常通路
２０３  可動体
４００  制御部
４０１  可動体制御部（可動体制御手段）
４０２  開閉制御部
４１０  始動口ＳＷ
【図１】
2010069004.tif 000003
【図２】
2010069004.tif 000004
【図３】
2010069004.tif 000005
【図４】
2010069004.tif 000006
【図５】
2010069004.tif 000007
【図６】
2010069004.tif 000008
【図７】
2010069004.tif 000009
【図８】
2010069004.tif 000010
【図９】
2010069004.tif 000011
【図１０】
2010069004.tif 000012
【図１１】
2010069004.tif 000013
【図１２】
2010069004.tif 000014
【図１３】
2010069004.tif 000015
【図１４】
2010069004.tif 000016